(57)【特許請求の範囲】
【請求項１】
屋根に施工される板状の断熱材において、上面側及び下面側の双方にたる木係合用の溝が延設されており、上面側の該溝と下面側の該溝が交叉方向に延在していることを特徴とする屋根下地断熱材。
【請求項２】
請求項１において、該上面側の溝と下面側の溝とがそれらの交叉部において連通していることを特徴とする屋根下地断熱材。
【請求項３】
請求項２において、該上面側の溝と下面側の溝との交叉部の中心を示す表示が該屋根下地断熱材の上面に設けられていることを特徴とする屋根下地断熱材。
【請求項４】
請求項１ないし３のいずれか１項において、該屋根下地断熱材の端面が相じゃくり形状となっていることを特徴とする屋根下地断熱材。
【発明の詳細な説明】
【０００１】
【発明の属する技術分野】
本発明は、木造住宅等の屋根に施工される板状の断熱材に係り、特にたる木との係合用の溝を設けた屋根下地断熱材に関する。
【０００２】
【従来の技術】
木造住宅の屋根においては、野地板上に断熱材が配設され、この断熱材の上側に通気間隙を介して野地合板が配置され、この野地合板の上にルーフィングが施されている。
【０００３】
この断熱材を施工するには、次の▲１▼又は▲２▼の方法が採用されている。
▲１▼  野地板の上に断熱材を敷き込み、その上に縦たる木又は横たる木を釘止めする。
▲２▼  横たる木を一定間隔で止め、断熱材を装着してから、縦たる木を一定間隔に止め、断熱材をたる木間に装着施工する。
【０００４】
【発明が解決しようとする課題】
上記▲１▼の施工方法においては、たる木が断熱材を介して野地板に釘止めするため、経時により、たる木下部断熱材のへたりの可能性が懸念される。また、断熱材の施工又はたる木に釘打ちする際に滑りやすく、滑落の恐れがある。
【０００５】
上記▲２▼の施工方法においては、断熱材が２層となり施工が煩雑である。なお、たる木の止める位置を墨だしする必要があった。また、釘止めにおいて、下側の横たる木に必ずしも緊結されず、下地合板に貫通してしまうために釘が冷橋部となり寒い時期、結露期には、釘部分周辺に結露し、合板が含水し、かびや腐りの原因にもなりかねない。
【０００６】
本発明は、施工が容易で長期にわたり健全な断熱材設置構造を維持することができる屋根下地断熱材を提供することを目的とする。
【０００７】
【課題を解決するための手段】
本発明の屋根下地断熱材は、屋根に施工される板状の断熱材において、上面側及び下面側の双方にたる木係合用の溝が延設されており、上面側の該溝と下面側の該溝が交叉方向に延在していることを特徴とするものである。
【０００８】
かかる屋根下地断熱材にあっては、上面側及び下面側の溝にたる木を係合させるようにして屋根に施工される。
【０００９】
この際、上面側及び下面側の溝をそれらの交叉部において連通させておくことにより、この交叉部においてたる木と横たる木とを直に重ね合わせて釘打ちすることができる。このたる木と横たる木との交叉中心を示すマーク等の表示を断熱材上面に設けておくことにより、釘留めを確実に行うことができる。
【００１０】
本発明では、断熱材の端面を相じゃくり形状としておくことが好ましい。
【００１１】
【発明の実施の形態】
以下、図面を参照して実施の形態について説明する。
【００１２】
図１は実施の形態に係る屋根下地断熱材の上方からの斜視図、図２はこの屋根下地断熱材の下方からの斜視図、図３は図１のIII−III線矢視図、図４は図１のIV−IV線断面図、図５は図１のＶ−Ｖ線矢視図、図６は図１のVI−VI線断面図である。図７はこの屋根下地断熱材の施工例を示す屋根の斜視図、図８はこの屋根下地断熱材の施工例を示す屋根の断面図である。
【００１３】
この屋根下地断熱材１は、略長方形状であり、上面側に溝２が設けられ、下面側に溝３が設けられている。この実施の形態では、下面側の溝３は長方形の短辺と平行方向に２条設けられ、上面側の溝２は長方形の長辺と平行方向に１条設けられているが、この溝の本数は屋根下地断熱材の大きさに応じて適宜選定されればよく、図示のものに限定されるものではない。
【００１４】
溝２，３は、従って、直交方向に延在しており、各溝２，３は断熱材１の一端辺から他端辺まで板面を横断するように連続して設けられている。
【００１５】
溝２の深さと溝３の深さとの合計は、この断熱材１の厚みと等しくなっており、従って、溝２，３の交叉部５にあっては溝２，３は連通している。
【００１６】
この交叉部５の中心を表示するためにマーク６が設けられている。この実施の形態では該マーク６は三角形であり、溝２を挟んで両側に、且つ溝３の中心線に対応する位置（該中心線を断熱材上面に投影した位置）上に配置されている。従って、１対のマーク６，６の中間点が交叉部５の中心と合致する。
【００１７】
この断熱材１の４辺の端面は相じゃくり形状となっている。
【００１８】
この屋根下地断熱材１の施工例を図７，８を参照して説明する。
【００１９】
軒桁１０、母屋１１にまたがってたる木１２が配設され、釘留めされている。
このたる木１２上に野地板１３が配設され、釘留めされ、その上に横たる木１４が配設され、釘留めされる。
【００２０】
この際、横たる木の基準になる取付位置を決め、一定寸法（例えば４５５ｍｍピッチ）に横たる木を施工する。この横たる木１４に下面側の溝３を係合させるようにして断熱材１が配設される。
【００２１】
この断熱材１の上面側の溝２に縦たる木１５が嵌合される。この縦たる木１５と横たる木１４とは、断熱材１の交叉部５において直に重なり合う。そこで、前記マークの指示位置において釘を打ち、縦たる木１５及び横たる木１４を野地板１３に固定する。
【００２２】
この縦たる木１５上に通気たる木１６を釘留めし、その上に野地板１７を釘留めし、その上にルーフィング（図示略）を施す。符号２０は縦胴縁、２１は壁断熱材を示す。
【００２３】
このように、この断熱材１によると、施工が簡単に、しかも釘打ちにより確実に縦たる木と横たる木へ緊結できると共に、結露の発生を防止することができる。そのため、かびの発生や野地板への含水もなく長期的に見ても強度を保持することができる。
【００２４】
なお、本発明においては、断熱材１の上面に施工作業員の足裏の滑り止め用突起１８を設けてもよい。このようにすれば、傾斜した屋根の施工においても充分に足元を固定できるため、安定して作業を行うことができる。
【００２５】
なお、突起１８の形状は円形（円柱形）よりも角形（角柱形）の方が好ましい。突起高さは７〜１７ｍｍ程度が好適である。突起間隔は１５０ｍｍ前後程度が好ましい。角形の突起の場合、一辺の長さは略６０ｍｍ程度が好ましい。
【００２６】
【発明の効果】
以上の通り、本発明の屋根下地断熱材によると、屋根の断熱施工を簡単に行うことができる。
【００２７】
本発明によると、釘打ちにより確実に縦たる木と横たる木へ緊結できると共に、結露の発生を防止することができる。そのため、かびの発生や野地板への含水もなく長期的に見ても強度を保持することができる。
【図面の簡単な説明】
【図１】実施の形態に係る屋根下地断熱材の上方からの斜視図である。
【図２】図１の屋根下地断熱材の下方からの斜視図である。
【図３】図１のIII−III線矢視図である。
【図４】図１のIV−IV線断面図である。
【図５】図１のＶ−Ｖ線矢視図である。
【図６】図１のVI−VI線断面図である。
【図７】図１の屋根下地断熱材の施工例を示す屋根の斜視図である。
【図８】図１の屋根下地断熱材の施工例を示す屋根の断面図である。
【符号の説明】
１  屋根下地断熱材
２  上面側の溝
３  下面側の溝
５  交叉部
６  マーク
１３  野地板
１４  横たる木
１５  縦たる木
１７  野地板
【図１】
0004576679.tif 000002
【図２】
0004576679.tif 000003
【図３】
0004576679.tif 000004
【図４】
0004576679.tif 000005
【図５】
0004576679.tif 000006
【図６】
0004576679.tif 000007
【図７】
0004576679.tif 000008
【図８】
0004576679.tif 000009